(57)【要約】【課題】容器本体と上枠体との脱着を反復しても係合力が低下しにくく，脱着作業そのものも容易な容器を提供すること。【解決手段】上端が開口した箱体部１１を有する容器本体４と，容器本体４の上部に脱着可能に取り付けられる上下両端が開口した上枠体６とを有し，容器本体４に上枠体６を取り付けた状態にて，長尺状の収容物を立てた状態で収容する容器６０において，容器本体４および上枠体６を上方から見た外形がいずれも，平坦な辺部と，辺部同士を曲線状または折れ線状に繋ぐコーナー部とにより構成される形状であることとし，上枠体６の下端における辺部の中腹部位には，下方へ突出した係止部３５を設け，容器本体４の上端における辺部の中腹部位には，係止部３５と引っ掛かり合うことで上枠体６を固定する被係止部（凹部）２４を設けた。【選択図】図６
2020019559.tif 000002
【特許請求の範囲】
【請求項１】
上端が開口した箱体部を有する容器本体と，前記容器本体の上部に脱着可能に取り付けられる上下両端が開口した上枠体とを有し，前記容器本体に前記上枠体を取り付けた状態にて，長尺状の収容物を立てた状態で収容する容器であって，
前記容器本体および前記上枠体を上方から見た外形がいずれも，平坦な辺部と，辺部同士を曲線状または折れ線状に繋ぐコーナー部とにより構成される形状であり，
前記上枠体の下端における前記辺部の中腹部位には，下方へ突出した係止部が設けられており，
前記容器本体の上端における前記辺部の中腹部位には，前記係止部と引っ掛かり合うことで前記上枠体を固定する被係止部が設けられていることを特徴とする容器。
【請求項２】
請求項１に記載の容器であって，
前記被係止部は，前記容器本体の上端から前記箱体部の外側かつ下方向きに形成されており，
前記係止部は，前記容器本体に前記上枠体を取り付けた状態では，前記被係止部の外側に覆い被さって位置するものであることを特徴とする容器。
【請求項３】
請求項２に記載の容器であって，
前記上枠体における前記係止部の上方に，外側から押されることで前記係止部を外向きに変形させる押圧部が設けられていることを特徴とする容器。
【請求項４】
請求項３に記載の容器であって，
前記上枠体には，下端の開口部を囲んで形成されたフランジ部が設けられており，
前記押圧部および前記係止部は，前記フランジ部における前記辺部の部位の外縁から，上方および下方に向けて形成されており，
前記フランジ部における，前記押圧部および前記係止部が設けられている部位の内側には，他の部位と比べて強度が低い低強度部が形成されていることを特徴とする容器。
【請求項５】
請求項２から請求項４までのいずれか１つに記載の容器であって，
前記容器本体は，少なくとも前記辺部の部位の上端から前記箱体部の外側かつ下方向きに形成された縦壁部を有しており，
前記被係止部は，前記縦壁部の一部分であるとともに，前記縦壁部のうち前記被係止部以外の部分よりも内向きに凹んでいる部分であることを特徴とする容器。
【請求項６】
請求項５に記載の容器であって，
前記容器本体に前記上枠体を取り付けた状態では，前記係止部の下端よりも前記縦壁部のうち前記被係止部以外の部分の下端の方が下に位置するように構成されていることを特徴とする容器。
【発明の詳細な説明】
【技術分野】
【０００１】
本発明は，長尺状の収容物を立てた状態で収容する用途に用いて好適な容器に関する。さらに詳細には，容器本体とその上部に脱着可能に取り付けられる上枠体とにより構成される容器に関するものである。
【背景技術】
【０００２】
従来から，花卉（かき）や傘などの長尺物の収容には，その用途に特化した容器が用いられることがある。特許文献１にその一例が記載されている。同文献の図１に描かれている容器（１）は，下側の容器本体（１０）とその上の上枠体（２０）とにより構成されている。これにより前述のような長尺物を，立てた状態で収容できるようになっている。容器本体（１０）と上枠体（２０）とは脱着可能となっている。上枠体（２０）の容器本体（１０）への取り付けは，同文献の図６に描かれているように，係止片（２３ｂ）を孔（１２ｂ）に挿し込むことにより行われる。係止片（２３ｂ）は上枠体（２０）に形成されており，孔（１２ｂ）は容器本体（１０）に形成されている。
【先行技術文献】
【特許文献】
【０００３】
【特許文献１】特開2003-170943号公報
【発明の概要】
【発明が解決しようとする課題】
【０００４】
しかしながら前記した従来の長尺物用の容器には，次のような問題点があった。容器本体（１０）と上枠体（２０）との脱着を繰り返し行うと，上枠体（２０）が容器本体（１０）から外れやすくなるのである。容器本体（１０）および上枠体（２０）の係合箇所である係止片（２３ｂ）および孔（１２ｂ）が，脱着作業の反復により摩耗してくるためである。
【０００５】
その原因は，容器本体（１０）および上枠体（２０）における係止片（２３ｂ）や孔（１２ｂ）が形成されている箇所が，変形しにくい箇所であることにある。なぜなら同文献の図６に示されるように，係止片（２３ｂ）や孔（１２ｂ）は，同容器（１）を上方から見た正方形形状（同文献の図２）におけるコーナー部に配置されているからである。容器本体（１０）および上枠体（２０）のコーナー部は剛性が高く変形しにくいのである。このため脱着作業の際，容器本体（１０）や上枠体（２０）の全体はほとんど変形せず，ほぼ係止片（２３ｂ）のみが弾性変形すると考えられる。したがって脱着作業時に係止片（２３ｂ）や孔（１２ｂ）に掛かる荷重が大きく，摩耗が激しいのである。また，同じ原因により，特に取り外し時にかなり強い力を掛ける必要があるという問題もある。
【０００６】
本発明は，前記した従来の技術が有する問題点を解決するためになされたものである。すなわちその課題とするところは，容器本体と上枠体との脱着を反復しても係合力が低下しにくく，脱着作業そのものも容易な容器を提供することにある。
【課題を解決するための手段】
【０００７】
本発明の一態様における容器は，上端が開口した箱体部を有する容器本体と，容器本体の上部に脱着可能に取り付けられる上下両端が開口した上枠体とを有し，容器本体に上枠体を取り付けた状態にて，長尺状の収容物を立てた状態で収容する容器であって，容器本体および上枠体を上方から見た外形がいずれも，平坦な辺部と，辺部同士を曲線状または折れ線状に繋ぐコーナー部とにより構成される形状であり，上枠体の下端における辺部の中腹部位には，下方へ突出した係止部が設けられており，容器本体の上端における辺部の中腹部位には，係止部と引っ掛かり合うことで上枠体を固定する被係止部が設けられているものである。
【０００８】
上記態様における容器では，容器本体の被係止部に上枠体の係止部を引っ掛けることで，容器本体の上方に上枠体を取り付けることができる。その取り付け状態にて，長尺状の収容物を立てた状態で収容することができる。係止部および被係止部がいずれも，比較的変形しやすい辺部の中腹部位に設けられているので，上枠体の脱着作業が容易である。また，脱着作業時に係止部や被係止部に掛かるストレスが軽いので，係止部あるいは被係止部の摩耗が少なく，係合力の劣化が生じにくい。
【０００９】
上記態様の容器ではさらに，被係止部は，容器本体の上端から箱体部の外側かつ下方向きに形成されており，係止部は，容器本体に上枠体を取り付けた状態では，被係止部の外側に覆い被さって位置するものであることが望ましい。このようになっていると，取付状態にて，係止部が箱体部の内部空間には進入しておらず，収容物の収容に邪魔とならない。
【００１０】
係止部が被係止部の外側に覆い被さる態様の容器では，上枠体における係止部の上方に，外側から押されることで係止部を外向きに変形させる押圧部が設けられていることが望ましい。このようになっていると，取付状態にて，上枠体を容器本体から取り外すことが容易である。押圧部を内向きに押し込むだけで係止部と被係止部との引っ掛かりを解除することができるからである。
【００１１】
押圧部を有する態様の容器では，上枠体には，下端の開口部を囲んで形成されたフランジ部が設けられており，押圧部および係止部は，フランジ部における辺部の部位の外縁から，上方および下方に向けて形成されており，フランジ部における，押圧部および係止部が設けられている部位の内側には，他の部位と比べて強度が低い低強度部が形成されていることが望ましい。このようになっていると，フランジ部があっても，押圧部や係止部が存在する部位における上枠体の強度が低いので，脱着作業がより容易である。
【００１２】
係止部が被係止部の外側に覆い被さるいずれかの態様の容器ではまた，容器本体は，少なくとも辺部の部位の上端から箱体部の外側かつ下方向きに形成された縦壁部を有しており，被係止部は，縦壁部の一部分であるとともに，縦壁部のうち被係止部以外の部分よりも内向きに凹んでいる部分であることが望ましい。このようになっていれば，取付状態にて，係止部が，容器本体の縦壁部よりも外向きには突出しないか，突出したとしても突出量が極少である。このため，ユーザーの手等が不用意に突出部に引っ掛かって上枠体が容器本体から外れてしまう，ということが起こりにくい。
【００１３】
被係止部が縦壁部の一部分である態様の容器ではさらに，容器本体に上枠体を取り付けた状態では，係止部の下端よりも縦壁部のうち被係止部以外の部分の下端の方が下に位置するように構成されていることが望ましい。このようになっていれば，取付状態にてユーザーの手等が不用意に突出部に引っ掛かって上枠体が容器本体から外れてしまう，ということがさらに起こりにくい。
【発明の効果】
【００１４】
本構成によれば，容器本体と上枠体との脱着を反復しても係合力が低下しにくく，脱着作業そのものも容易な容器が提供されている。
【図面の簡単な説明】
【００１５】
【図１】実施の形態に係る容器の全体形状を示す斜視図である。
【図２】実施の形態に係る容器における容器本体を示す斜視図である。
【図３】実施の形態に係る容器における上枠体を示す斜視図である。
【図４】図３の上枠体を縦に半分に切断した状態で示す斜視図である。
【図５】図２の容器本体を縦に半分に切断した状態で示す斜視図である。
【図６】図１の容器全体を縦に半分に切断した状態で示す斜視図である。
【図７】係止部と凹部との引っ掛かり状況を示す拡大断面図である。
【図８】係止部と凹部との取り外し時の状況を示す拡大断面図である。
【図９】開口部に紐を掛けた状態で示す容器本体の斜視図である。
【発明を実施するための形態】
【００１６】
以下，本発明を具体化した実施の形態について，添付図面を参照しつつ詳細に説明する。本形態は，図１に示す容器６０として本発明を具体化したものである。図１の容器６０は，容器本体４と，その上の上枠体６とにより構成されている。上枠体６は，容器本体４の上部に対して脱着可能である。容器６０は，容器本体４と上枠体６とを合わせた全体として縦長の箱状をなしており，長尺物を立てて収容するのに適したものである。なお，容器６０を上方から見ると，コーナー部が丸められた正方形状である。容器本体４と上枠体６とはいずれも，合成樹脂製である。
【００１７】
図２に，容器本体４の単体を示す。容器本体４は，箱体部１１を有している。箱体部１１は，上端が開口した箱状の部分であり，下方がやや狭く上方がやや広い斜面体形状とされている。容器本体４はさらに，外壁部１３を有している。外壁部１３は，箱体部１１の外側に位置し，箱体部１１の斜面体形状とは逆に，上方が狭く下方が広い逆斜面体形状とされている。容器本体４の接地箇所は外壁部１３の底部１４であり，箱体部１１の底部１５は地面からやや浮いている。
【００１８】
容器本体４における箱体部１１と外壁部１３とは，上端部で互いに繋がっており一体となっている。その上端部には，箱体部１１の開口部１６を囲む上向きの平坦面である本体フランジ面１７が形成されている。外壁部１３にはさらに，底部１４寄りの下窓１８と，本体フランジ面１７寄りの上窓１９とが形成されている。外壁部１３のうち下窓１８と上窓１９との間の横方向の部分が，下桟部２１である。また，外壁部１３のうち上窓１９と本体フランジ面１７との間の横方向の部分が，垂れ部２２である。垂れ部２２の一部が，他の部分より凹んだ凹部２４となっている。凹部２４を含めた垂れ部２２は，容器本体４の上端から箱体部１１の外側かつ下方向きに形成されている。
【００１９】
図３に，上枠体６の単体を示す。上枠体６は，上下両端がいずれも開口した角筒状の部材である。上枠体６は，下方が狭く上方が広い斜面体形状とされている点で箱体部１１の形状と共通する。上枠体６の上端には，四隅に位置し表（おもて）面が平坦なトップ当接面部２５が設けられている。トップ当接面部２５は，上枠体６の上端の開口部２６の外側に位置する。上枠体６の下端付近には，開口部２７を囲んでフランジ部２８が形成されている。
【００２０】
上枠体６にはまた，フランジ部２８寄りの下窓２９と，トップ当接面部２５寄りの上窓３１とが形成されている。上枠体６はさらに，フランジ部２８と下窓２９との間の横方向の壁部分である下壁部３２と，下窓２９と上窓３１との間の横方向の壁部分である中壁部３３と，上窓３１とトップ当接面部２５との間の横方向の壁部分である上壁部３４と，を有している。このうちの下壁部３２は，フランジ部２８の外側の縁から上向きに形成されている。さらに，下壁部３２の一部分から下方に向かって，係止部３５が形成されている。
【００２１】
上記の容器６０では，容器本体４に上枠体６を取り付けた図１の状態にて，長尺状の収容物を立てた状態で収容することができる。収容できる長尺状の収容物の例としては，花卉や雨傘等を挙げることができる。なお，容器本体４のみの状態であっても，さほど長くない収容物なら収容可能である。
【００２２】
上記のうち凹部２４および係止部３５について，さらに説明する。凹部２４が設けられている容器本体４，および係止部３５が設けられている上枠体６はいずれも，上方から見てコーナー部が丸められた正方形状である。凹部２４および係止部３５はいずれも，上方から見て，その正方形における，コーナー部ではなく辺部のそれも中腹部位に位置している。容器本体４および上枠体６における当該辺部の方向を，図２，図３中に矢印Ａで示す。上記のことは，他の３つの辺においても同様である。
【００２３】
図４に，上枠体６を縦に半分に切断した状態を示す。図４においては，下壁部３２や中壁部３３，上壁部３４の主として裏面（内面）が見えている。図４に示されるように，上枠体６のフランジ部２８における辺部の中腹部位には，開口状の貫通部３６が形成されている。このためフランジ部２８における辺部の中腹部位は，他の部位と比較して強度がやや低くなっている。前述の係止部３５は，フランジ部２８における貫通部３６が形成されている箇所の外縁に対して下向きに設けられている。また，前述の下壁部３２は，フランジ部２８の外縁全体に対して上向きに形成されている。よって，フランジ部２８における貫通部３６の箇所の外縁に対しても下壁部３２が存在している。以下，下壁部３２のうち辺部の中腹部位の部分を特に，押圧部３７と称する。また，係止部３５の下端付近の内側には，係止爪３８が形成されている。係止爪３８の下側の面は斜面状となっている。
【００２４】
図５に，容器本体４を縦に半分に切断した状態を示す。図５においては，箱体部１１の内部が主として見えている。図５に示されるように，垂れ部２２のうち凹部２４は，垂れ部２２における他の部分より凹んでいるだけではなく，その高さ方向寸法についても他の部分とは差が付けられている。すなわち，凹部２４の高さＨ２は，他の部分の高さＨ１より小さくされている。つまり凹部２４は，垂れ部２２における他の部分と比較して下端付近が切り欠かれたような形状となっている。
【００２５】
この，高さＨ２と高さＨ１との違いにより，図１に示したように取り付け状態にて，係止部３５の下端３９が垂れ部２２の下端４１よりも上に位置するようになっている。つまり取り付け状態では，垂れ部２２の下端４１が係止部３５の下端３９よりも下に位置するのである。図１における係止部３５はまた，垂れ部２２のうち凹部２４以外の部分よりも水平方向に内向きに凹んだ位置にある。これは，凹部２４が凹部２４以外の部分よりも凹んだ状態とされていることによる。
【００２６】
図６に，容器本体４に上枠体６を取り付けた容器６０の全体を縦に半分に切断した状態を示す。図６中の領域Ｂの中に，係止部３５と凹部２４との引っ掛かり状況が現れている。図７に，図６中の領域Ｂの箇所の正面断面図を示す。すなわち容器本体４に上枠体６を取り付けた状態では，凹部２４の外側に係止部３５が覆い被さった状態となっている。そして，凹部２４の下端に係止部３５の係止爪３８が引っ掛かっている。これにより容器６０では，上枠体６が容器本体４からひとりでには外れないようになっている。つまり凹部２４は，係止部３５と引っ掛かり合うことで上枠体６を固定する被係止部である。また，係止部３５は箱体部１１の内部空間には進入していない。このため，収容物を収容するに際して係止部３５が邪魔となることはない。
【００２７】
上記のように構成された本形態の容器６０では，容器本体４への上枠体６の取り付けおよび取り外しが容易であるという利点がある。以下この点について説明する。脱着が容易なのは，係止部３５および凹部２４が，容器６０を上方から見た正方形における，コーナー部ではなく辺部の中腹部位に位置しているからである。取り付けおよび取り外しの際には，係止部３５の係止爪３８が凹部２４を乗り越えるために不可避的に一旦，容器本体４および上枠体６，特に上枠体６が弾性変形する。その際に辺部の中腹部位は，基本的に平坦な部材により構成されている箇所であるため，剛性が低く変形しやすいのである。このため，係止爪３８が凹部２４を容易に乗り越えることができる。
【００２８】
特に，取り付け時には，係止部３５が凹部２４の外側に掛かるように容器本体４の上方に上枠体６を配置し，そのまま上枠体６を下向きに押し付ければよい。係止爪３８の下側の面は斜面状であるため，自然に係止爪３８が凹部２４の上に乗り上がり，乗り越える。このため特段に支障なく取り付け作業がなされる。逆に取り外し時には，上枠体６における下壁部３２のうち係止部３５の真上の部分，すなわち前述の押圧部３７の箇所を外から内向きに少し押し込めばよい（図８の矢印Ｆ）。この押し込みの反力により，係止部３５は外向きに起こされることとなる（同矢印Ｇ）。このため自然に係止爪３８と凹部２４との引っ掛かりが解除される。これにより，上枠体６を容易に容器本体４から取り外すことができる。
【００２９】
本形態の容器６０でこのように上枠体６の脱着が容易であるということは，取り付け時および取り外し時に係止部３５や凹部２４に掛かるストレスは軽いということである。したがって，脱着を反復しても，係止部３５や凹部２４の摩耗はごく少量でしかない。また，係止部３５に変形癖が付いてしまうようなこともほとんどない。このため，係止部３５および凹部２４による係合力の劣化がほとんどない。したがって脱着を反復しても，取付状態の上枠体６がひとりでに外れてしまうことが容易に起きるようにはならない。
【００３０】
本形態の容器６０では，上枠体６のフランジ部２８に貫通部３６が形成されていることも，脱着の容易性に貢献している。貫通部３６が形成されていることで，係止部３５および押圧部３７の付近におけるフランジ部２８の剛性が低くなっているからである。このため脱着時における上枠体６の変形がより起こりやすくなっている。
【００３１】
また，本形態の容器６０では，取付状態において，ユーザーが不用意に係止部３５に触れてしまうことで上枠体６が容器本体４から外れてしまうこともほとんどない。それは前述のように，取付状態において係止部３５が垂れ部２２における凹部２４以外の部分よりも凹んでいるからである。また，係止部３５の下端３９が垂れ部２２の下端４１よりも下向きに突出しているようなこともないからである。このため，ユーザーの指が意図せず係止部３５に引っ掛かって上枠体６の外れを引き起こすこともない。
【００３２】
以上詳細に説明したように本実施の形態によれば，容器本体４と上枠体６との係止を担う形状である係止部３５および凹部２４を，コーナー部ではなく辺部の中腹部位に設けている。これにより，容易に脱着作業ができ，かつ係止力の劣化がほとんどない容器６０が実現されている。
【００３３】
なお，本実施の形態は単なる例示にすぎず，本発明を何ら限定するものではない。したがって本発明は当然に，その要旨を逸脱しない範囲内で種々の改良，変形が可能である。例えば，前記形態では容器６０を上方から見た形状を略正方形状であることとしたが，長方形状でもよいし他の多角形状でもよい。要は，平坦な辺部と，辺部同士を曲線状に繋ぐコーナー部とにより構成される形状であればよい。また，そのコーナー部は曲線状に限らず折れ線状であってもよい。また，係止部３５および凹部２４の位置を辺部の中腹部位としたが，中腹部位は正確に中央でなければならない訳ではない。容器本体４あるいは上枠体６における該当する高さレベルにおける幅方向の中央を中心に，幅方向寸法の４０％の範囲内であればよい。
【００３４】
また，フランジ部２８における低強度部である貫通部３６についても変形が考えられる。前記形態では，上枠体６の下端の開口部２７とは別の小さな開口部であることとしたが，開口部２７と貫通部３６とが繋がっていてもよい。あるいは，貫通孔とせずに薄肉部としてもよい。また，上枠体６における下壁部３２は，押圧部３７の部分しか存在しないものであってもよい。また，容器本体４の垂れ部２２のうち凹部２４以外の部分の下辺に，図９に示すように紐掛け部４２を設けてもよい。これにより容器本体４の開口部１６を紐４３で区画することができる。図９では，２本の輪状の紐４３を紐掛け部４２に掛けることで開口部１６を９個の領域に区画した例を示している。
【符号の説明】
【００３５】
４    容器本体
６    上枠体
１１  箱体部
１６  開口部
２４  凹部（被係止部）
２８  フランジ部
３２  下壁部
３５  係止部
３６  貫通部
３７  押圧部
３８  係止爪
３９  下端
４１  下端
６０  容器
【図１】
2020019559.tif 000003
【図２】
2020019559.tif 000004
【図３】
2020019559.tif 000005
【図４】
2020019559.tif 000006
【図５】
2020019559.tif 000007
【図６】
2020019559.tif 000008
【図７】
2020019559.tif 000009
【図８】
2020019559.tif 000010
【図９】
2020019559.tif 000011